(57)【要約】【課題】的確な警告を可能にして自動車の防犯性能を向上することを目的とする。【解決手段】自動車の状態の監視結果に基づいて、予め定めた複数の警戒レベルの中から対応する警戒レベルを求めて、警戒レベル毎に異なる予め定めた複数の報知方法の中から、求めた警戒レベルに応じた報知方法を選択して段階的に警告を行う。具体的には、警戒レベル１〜３を予め定め、各警戒レベルに応じて警戒内容を予め定めると共に、各警戒レベルに応じて報知方法を予め定め、警戒レベルに応じた報知方法で警告を行う。【選択図】図３
2013003779.tif 000002
【特許請求の範囲】
【請求項１】
盗難の際に変化する自動車の状態を検出する検出手段の検出結果を取得する取得手段と、
自動車に接続可能とされ、自動車に搭載された車両用蓄電池を充電する充電手段と、
複数の住戸を有する集合住宅の各住戸に設けられ、自動車の防犯に関する警告を行う警告手段と、
前記充電手段と自動車とが接続されている場合に、前記取得手段によって取得した前記検出結果に基づいて、予め定めた複数の警戒レベルの中から対応する警戒レベルを求め、前記警戒レベル毎に異なる予め定めた複数の警告方法の中から、求めた警戒レベルに応じた警告方法を選択して段階的に警告を行うように、前記警告手段を制御する制御手段と、
を備えた車両の防犯システム。
【請求項２】
前記制御手段は、集合住宅の共用部に設置された請求項１に記載の車両の防犯システム。
【請求項３】
複数種類のエネルギー供給源を更に備え、当該エネルギー供給源と前記集合住宅の全住戸のエネルギー消費源とが接続されると共に、前記充電手段は、前記エネルギー供給源から供給されるエネルギーを用いて車両用蓄電池を充電する請求項１又は請求項２に記載の車両の防犯システム。
【請求項４】
前記検出手段は、他者による自動車の強制ドア開放、車両のガラス割れ、エンジン始動、及びパーキングブレーキの解除の少なくとも１つの状態を前記自動車の状態として検出する請求項１〜３の何れか１項に記載の車両の防犯システム。
【請求項５】
前記制御手段が、自動車所有者の住宅に設けられた表示手段による警告表示、集合住宅の全住戸に設けられた表示手段による警告表示、自動車所有者の携帯端末への警告表示、及び集合住宅の管理会社に設けられて前記制御手段と通信可能な端末装置から自動車の始動不可または発進不可とする信号出力の少なくとも１つを前記警告手段の警告として前記警戒レベルに応じて選択して警告を行うと共に、発信音を更に出力するように制御する請求項１〜４の何れか１項に記載の車両の防犯システム。
【請求項６】
前記制御手段は、前記警戒レベルが予め定めた第１の警戒レベルの場合に、所有者の前記表示手段へ前記警告を表示し、前記第１の警戒レベルとは異なる第２の警戒レベルの場合に、全住戸の前記表示手段へ前記警告を表示するように制御する請求項５に記載の車両の防犯システム。
【請求項７】
前記制御手段は、前記警戒レベルが予め定めた第３の警戒レベルの場合に、前記携帯端末へ前記警告を表示し、前記第３の警戒レベルとは異なる第４の警戒レベルの場合に、前記端末装置から自動車の始動不可または発進不可とする信号出力を行うように制御する請求項５又は請求項６に記載の車両の防犯システム。
【請求項８】
前記充電手段による充電で使用した電力量、各住戸で使用した電力量、及び集合住宅の共用部で使用した電力量の少なくとも１つの電力量を監視する監視手段と、前記監視手段の監視結果に基づいて、各住戸の使用者へ課金するための課金情報を生成する課金情報生成手段と、を更に備えた請求項１〜７の何れか１項に記載の車両の防犯システム。
【発明の詳細な説明】
【技術分野】
【０００１】
本発明は、車両の防犯システムにかかり、特に、ハイブリッド自動車や電気自動車等に搭載された車両用蓄電池を充電する機能を備えた、車両の防犯システムに関する。
【背景技術】
【０００２】
近年、環境問題等を考慮して、ハイブリッド自動車や電気自動車が普及しており、充電装置等を用いて、これらの自動車に搭載された車両用蓄電池を充電する技術なども提案されている。
【０００３】
また、建物からの電力供給により自動車への充電が行われている場合には、電力そのものが盗まれたり、充電中の自動車が盗まれたりするおそれがあるため、特許文献１では、充電セキュリティモードを備えることが提案されている。
【０００４】
具体的には、特許文献１に記載の技術では、建物に隣接された駐車場に駐車された自動車の電力入力端子と建物の電力出力端子とを接続ケーブルにより接続することで自動車への充電を可能して、建物に防犯管理装置の他、人感センサ、窓センサ、警告灯等を設けて、充電セキュリティモード時において人感センサにより自動車周りに人が所定時間存在することが検知された場合に、警告灯により警告を実行することが提案されている。
【先行技術文献】
【特許文献】
【０００５】
【特許文献１】特開２０１０−９２２２１号公報
【発明の概要】
【発明が解決しようとする課題】
【０００６】
しかしながら、特許文献１に記載の技術では、人感センサによって自動車周囲の所定時間以上の人の存在を検出して警告を行うようにしているが、自動車への悪戯を行うとは限らないため、警告の方法に改善の余地がある。
【０００７】
本発明は、上記事実を考慮して成されたもので、的確な警告を可能にして自動車の防犯性能を向上することを目的とする。
【課題を解決するための手段】
【０００８】
上記目的を達成するために請求項１に記載の発明は、盗難の際に変化する自動車の状態を検出する検出手段の検出結果を取得する取得手段と、自動車に接続可能とされ、自動車に搭載された車両用蓄電池を充電する充電手段と、複数の住戸を有する集合住宅の各住戸に設けられ、自動車の防犯に関する警告を行う警告手段と、前記充電手段と自動車とが接続されている場合に、前記取得手段によって取得した前記検出結果に基づいて、予め定めた複数の警戒レベルの中から対応する警戒レベルを求め、前記警戒レベル毎に異なる予め定めた複数の警告方法の中から、求めた警戒レベルに応じた警告方法を選択して段階的に警告を行うように、前記警告手段を制御する制御手段と、を備えることを特徴としている。
【０００９】
請求項１に記載の発明によれば、取得手段では、盗難の際に変化する自動車の状態を検出する検出手段の検出結果が取得される。例えば、盗難の際に変化する自動車の状態としては、ドアの開放、エンジン始動、パーキングブレーキ解除、ガラス割れ、及び充電ケーブル強制取り外しや引きちぎり等があるので、これらの状態をセンサ等の検出手段によって検出し、取得手段が検出結果を取得する。
【００１０】
充電手段は、自動車と接続可能とされて、自動車に搭載された車両用蓄電池の充電が行われ、警告手段では、複数の住戸を有する集合住宅の各住戸に設けられて、自動車の防犯に関する警告が行われる。
【００１１】
そして、制御手段では、充電手段と自動車とが接続されている場合に、取得手段によって取得した検出手段の検出結果に基づいて、予め定めた複数の警戒レベルの中から対応する警戒レベルを求めて、警戒レベル毎に異なる予め定めた複数の警告方法の中から、求めた警戒レベルに応じた警告方法を選択して段階的に警告を行うように、警告手段が制御される。すなわち、自動車の状態に対応する警戒レベルに応じて段階的に警告を行うことにより、的確な警告が可能となり、自動車の防犯性能を向上することができる。
【００１２】
なお、制御手段は、請求項２に記載の発明のように、集合住宅の共用部に設置するようにしてもよい。
【００１３】
また、請求項３に記載の発明のように、複数種類のエネルギー供給源を更に備え、当該エネルギー供給源と集合住宅の全住戸のエネルギー消費源とが接続されると共に、充電手段が、エネルギー供給源から供給されるエネルギーを用いて車両用蓄電池を充電するようにしてもよい。
【００１４】
また、検出手段は、請求項４に記載の発明のように、他者による自動車の強制ドア開放、車両のガラス割れ、エンジン始動、及びパーキングブレーキの解除の少なくとも１つの状態を自動車の状態として検出するようにしてもよい。
【００１５】
また、請求項５に記載の発明のように、制御手段が、自動車所有者の住宅に設けられた表示手段による警告表示、集合住宅の全住戸に設けられた表示手段による警告表示、自動車所有者の携帯端末への警告表示、及び集合住宅の管理会社に設けられて制御手段と通信可能な端末装置から自動車の始動不可または発進不可とする信号出力の少なくとも１つを警告手段の警告として警戒レベルに応じて選択して警告を行うと共に、発信音を更に出力するように制御してもよい。この場合には、制御手段は、請求項６に記載の発明のように、警戒レベルが予め定めた第１の警戒レベルの場合に、所有者の表示手段へ警告を表示し、第１の警戒レベルとは異なる第２の警戒レベルの場合に、全住戸の表示手段へ警告を表示するように制御してもよい。また、制御手段は、請求項７に記載の発明のように、警戒レベルが予め定めた第３の警戒レベルの場合に、携帯端末へ警告を表示し、第３の警戒レベルとは異なる第４の警戒レベルの場合に、端末装置から自動車の始動不可または発進不可とする信号出力を行うように制御してもよい。
【００１６】
さらに、請求項９に記載の発明のように、充電手段による充電で使用した電力量、各住戸で使用した電力量、及び集合住宅の共用部で使用した電力量の少なくとも１つの電力量を監視する監視手段と、監視手段の監視結果に基づいて、各住戸の使用者へ課金するための課金情報を生成する課金情報生成手段と、を更に備えるようにしてもよい。
【発明の効果】
【００１７】
以上説明したように本発明によれば、自動車の状態に対応する警戒レベルに応じて段階的に警告を行うので、的確な警告を可能にして自動車の防犯性能を向上することができる、という効果がある。
【図面の簡単な説明】
【００１８】
【図１】本発明の実施の形態に係わる車両の防犯システムを備えた集合住宅の一例を示す概略図である。
【図２】本発明の実施の形態に係わる車両の防犯システムにおける主要部の概略構成を示すブロック図である。
【図３】（Ａ）は警戒レベル毎の警戒内容及び報知方法の一例を示す表であり、（Ｂ）は表示画面の一例を示す図であり、（Ｃ）は変形例としての警戒レベル毎の対応の一例を示す表である。
【図４】本発明の実施の形態に係わる自動車の防犯システムにおけるＨＥＭＳで行われる防犯処理の流れの一例を示すフローチャートである。
【図５】本発明の実施の形態に係わる自動車の防犯システムにおけるＨＥＭＳで行われる他の処理例としての車両用蓄電池の充電に関する処理の流れを示すフローチャートである。
【発明を実施するための形態】
【００１９】
以下、図面を参照して本発明の実施の形態の一例を詳細に説明する。図１は、本発明の実施の形態に係わる車両の防犯システムを備えた集合住宅の一例を示す概略図であり、図２は、本発明の実施の形態に係わる車両の防犯システムにおける主要部の概略構成を示すブロック図である。なお、図２の点線は電力の流れを示し、実線は情報の流れを示す。
【００２０】
本発明の実施の形態に係わる車両の防犯システム１０は、集合住宅１２内の電力供給を制御するＨＥＭＳ（Home Energy Management System）１４を備えている。なお、本実施の形態では、集合住宅１２を一例として説明するが、戸建て等の建物としてもよい。
【００２１】
集合住宅１２は、入居者が居住する複数の住戸１１、及び共用部（例えば、廊下や、階段、ホール等）１３を備えており、本実施の形態では、共用部１３にＨＥＭＳ１４が設けられた例を示すが、これに限るものではなく、他の場所（例えば、管理人の住戸等）に設けるようにしてもよい。
【００２２】
また、集合住宅１２には、太陽光によって発電する太陽光発電装置１６が設けられており、発電された電力がＨＥＭＳ１４を介して集合住宅１２へ供給されるようになっていると共に、商用電源２０からの電力がＨＥＭＳ１４を介して集合住宅１２に供給される。発電電力及び商用電源２０からの電力は、電力計１８を介してＨＥＭＳ１４へ供給される。また、本実施の形態では、太陽光発電装置１６を備える例を示すが、他の自然エネルギ（例えば、風力、水力、地熱、潮力等）を利用した発電装置を備えるようにしてもよいし、燃料電池等を備える構成としてもよい。
【００２３】
ＨＥＭＳ１４には、集合住宅１２で使用するための電力を蓄電する蓄電池３０が接続されていると共に、ハイブリッド自動車や電気自動車等の自動車２４に搭載された車両用蓄電池２６等が接続可能とされている。
【００２４】
蓄電池３０は、深夜電力や発電電力によって充電され、集合住宅１２の各部へ供給可能とされている。なお、蓄電池３０は、共用部１３に設けるようにしてもよいし、他の場所に設けるようにしてもよい。
【００２５】
一方、車両用蓄電池２６は、充電ポール２８を介してＨＥＭＳ１４に接続され、ＨＥＭＳ１４から充電ポール２８を介して車両用蓄電池２６に電力を供給することにより、車両用蓄電池２６の充電が可能とされている。また、車両用蓄電池２６からＨＥＭＳ１４を介して集合住宅１２へ電力供給を行うことも可能とされている。
【００２６】
また、本実施の形態では、ＨＥＭＳ１４は、自動車の防犯機能を備えている。防犯機能としては、具体的には、自動車２４の盗難の際に変化する自動車の状態を検出する検出手段が自動車２４に設けられ、当該検出手段の検出結果を充電ポール２８を介してＨＥＭＳ１４へ送信し、ＨＥＭＳ１４が、検出手段の検出結果に基づいて、予め定めた複数の警戒レベルの中から対応する警戒レベルを求めて、警戒レベル毎に異なる予め定めた複数の報知方法の中から、求めた警戒レベルに応じた報知方法を選択して段階的に警告を行うようになっている。警告方法としては、ＨＥＭＳ１４の音声機能で警告したり、表示部等に表示したり、ネットワーク３２を介して住人の携帯電話４２へ通知したり、集合住宅１２の管理会社３４に設けられた親機ＰＣ（パーソナルコンピュータ）３６に通知する。
【００２７】
なお、検出手段が検出する盗難の際に変化する自動車の状態としては、例えば、ドアの開放、エンジン始動、パーキングブレーキ（ＰＫＢ）の解除、ガラス割れ、充電ケーブルの強制取り外しや引きちぎり等があり、検出手段が上記の少なくとも１つの状態を検出して、検出結果を充電ポール２８を介してＨＥＭＳ１４へ送信する。具体的には、例えば、ドアの開放はカーテシスイッチにより検出し、エンジン始動はエンジンＥＣＵによって検出し、ＰＫＢの解除はＰＫＢセンサによって検出し、ガラス割れは加速度センサ等によって検出し、充電ケーブルの取り外しや引きちぎりは、電流や電圧等を測定することによって検出することができる。
【００２８】
また、本実施の形態では、検出手段を自動車２４に備えるものとして説明するが、充電ポール２８や集合住宅１２の駐車場等に設けるようにしてもよい。この場合には、検出手段としては、例えば、カメラ等を適用して撮影画像から上記の盗難の際に変化する自動車の状態を検出するようにしてもよい。
【００２９】
また、ネットワーク３２には、電力会社３８等に設けられた課金システム４０が接続されている。
【００３０】
ＨＥＭＳ１４は、複数種類の電力供給源（太陽光発電装置１６の発電電力、商用電源２０からの電力、蓄電池３０や車両用蓄電池２６の蓄電電力等）の中から効率的かつ安価な電力供給源を選択して、各住戸１１、共用部１３、及び充電ポール２８等へ電力を供給する。
【００３１】
詳細には、ＨＥＭＳ１４は、図２に示すように、情報制御ユニット５０、電力供給制御装置５４、及び表示操作パネル５２を備えている。
【００３２】
情報制御ユニット５０は、ネットワーク３２、表示操作パネル５２、電力供給制御装置５４、電力計１８、及び各住戸１１の子機２０としての子機表示操作パネル５８に接続されて、情報の流れを制御し、電力供給制御装置５４は、電力計１８を介して得られる各種電力源からの電力を各住戸１１の分電盤２２へ供給する等の電力供給の制御を行う。
【００３３】
表示操作パネル５２は、液晶等の表示部と、タッチパネルやスイッチ等の操作部とを含んで構成され、電力供給に関する設定や表示が可能とされている。また、本実施の形態では、自動車のセキュリティに関する情報や警告等の表示や音声出力等が可能とされている。
【００３４】
一方、各住戸１１は、分電盤２２及び子機２０としての子機表示操作パネル５８を備えており、分電盤４４から各住戸内の電気機器等へ電力供給が行われる。
【００３５】
子機表示操作パネル５６は、ＨＥＭＳ１４の表示操作パネル５２と同様に、液晶等の表示部と、タッチパネルやスイッチ等の操作部とを含んで構成され、電力供給に関する設定や表示が可能とされていると共に、自動車のセキュリティに関する情報や警告等の表示や音声出力も可能とされている。
【００３６】
ここで、ＨＥＭＳ１４に備えた自動車の防犯機能の具体例について説明する。
【００３７】
本実施の形態では、ＨＥＭＳ１４は、上述したように、自動車の防犯機能を備えているが、自動車の防犯方法としては、自動車の状態の監視結果に基づいて、予め定めた複数の警戒レベルの中から対応する警戒レベルを求めて、警戒レベル毎に異なる予め定めた複数の報知方法の中から、求めた警戒レベルに応じた報知方法を選択して段階的に警告を行う。
【００３８】
具体的には、図３（Ａ）に示すように、警戒レベル１〜３を予め定め、各警戒レベルに応じて警戒内容を予め定めると共に、各警戒レベルに応じて報知方法を予め定め、警戒レベルに応じた報知方法で警告を行う。
【００３９】
本実施の形態では、警戒レベル１では、警戒内容として他者によるドアの強制開放を警戒し、報知方法としては、子機２０のランプを遅点滅し、子機２０で音声通知を行う。例えば、カーテシスイッチのオンオフ信号を充電ポール２８を介してＨＥＭＳ１４へ出力することにより、ドアの開閉を監視することができ、ドアの開放が検出された場合には、図３（Ｂ）に示すように、子機表示操作パネル５６の「警報」ランプを遅い点滅速度（警戒レベル２より遅い点滅速度）で点滅し、子機表示操作パネル５６で「ドアが開いています」等の音声通知を行う。
【００４０】
警戒レベル２では、エンジン始動やＰＫＢ解除を警戒し、報知方法としては、子機２０のランプを点滅し、子機２０及び充電ポール２８（対象世帯）で音声通知及び弱発信音（警戒レベル３より弱い発信音）を繰り返す。例えば、エンジン始動は、エンジンＥＣＵからエンジン始動信号を充電ポール２８を介してＨＥＭＳ１４に出力し、ＰＫＢ解除は、ＰＫＢスイッチのオンオフ信号を充電ポール２８を介してＨＥＭＳ１４へ出力することにより、エンジン始動やＰＫＢの解除を検出することができ、エンジン始動やＰＫＢ解除が検出された場合には、図３（Ｂ）に示すように、子機表示操作パネル５６の「警報」ランプを点滅し、対象世帯の子機表示操作パネル５６及び充電ポール２８で「エンジンが始動されました。」や「ＰＫＢが解除されました。」等の音声通知や弱発信音を繰り返す。
【００４１】
警戒レベル３では、ガラス割れや、充電ケーブルの強制取り外し、引きちぎり等を警戒し、報知方法としては、子機２０のランプを早点滅し、子機２０や充電ポール（全世帯）の音声通知や強発信音を繰り返す。例えば、加速度センサやウインド開閉センサの検出結果を充電ポール２８を介してＨＥＭＳ１４へ出力することにより、加速度センサやウインド開閉センサの検出結果から窓の割れを推定することができ、充電ケーブルの接続スイッチや電流センサ、電圧センサの検出結果を充電ポール２８を介してＨＥＭＳ１４へ出力することにより、充電ケーブルの強制取り外しや引きちぎりを検出することができ、ガラス割れや、充電ケーブルの強制取り外し、引きちぎりが検出された場合には、子機表示操作パネル５６の「警報」ランプを早い点滅速度（警戒レベル２より早い点滅速度）で点滅し、全世帯の子機表示操作パネル５６及び充電ポール２８で「ガラスが割れました。」や「充電ケーブルが外されました。」等の音声通知や強発信音を繰り返す。
【００４２】
なお、警戒レベルとしては、３段階に限るものではなく、例えば、図３（Ｃ）に示すように、警戒レベル１〜４の４段階として各レベル毎の対応内容（警告方法）を定めるようにしてもよいし、２段階でもよいし、５段階以上としてもよい。図３（Ｃ）の場合には、警戒レベル１〜４の４段階とし、警戒レベル１の場合には、自動車２４の所有の子機２０へ通知し、警戒レベル２の場合には、全世帯の子機２０へ通知し、警戒レベル３の場合には、自動車２４の所有者の携帯電話へ通知し、警戒レベル４の場合には、ネットワーク３２を介した通信によって管理会社の親機ＰＣ３６から車始動又は発進可否信号を送信する。このとき、警戒レベル４の場合には、管理会社３４は、警察等へ更に通報するようにしてもよい。
【００４３】
続いて、上述のように構成された本発明の実施の形態に係わる自動車の防犯システム１０で行われる具体的な処理について詳細に説明する。
【００４４】
自動車の防犯の開始は、例えば、自動車２４と充電ポール２８が充電ケーブル等によって接続された時に、自動車２４と子機２０との間で情報の授受を行って、セキュリティ状態をオンにされる。この状態は、ＨＥＭＳ１４を通して管理会社の親機ＰＣ３６へも通知され、管理会社３４でも監視が可能となる。なお、子機２０からの操作でセキュリティのオンオフを可能としてもよい。
【００４５】
セキュリティ状態がオンになると、子機２０や充電ポール２８の予め定めたランプ等を点灯して、「充電ケーブルが接続され、セキュリティがオンになりました。」等の音声通知が子機２０や充電ポール２８で行われる。
【００４６】
セキュリティの解除方法としては、例えば、お出かけ前に、子機表示操作パネル５６等の操作によりセキュリティ状態をオフする。これによりランプが消灯し、「セキュリティが解除されました。」等の音声通知が行われる。なお、子機表示操作パネル５６の操作を忘れた場合には、自動車２４のスマートキーを持って自動車２４に近づいた場合に、自動車２４がこれを検知して充電ポール２８を介して当該情報をＨＥＭＳ１４へ送信することにより、セキュリティの解除を行うようにしてもよい。この場合は、充電ポール２８から音声通知等を行う。
【００４７】
続いて、自動車２４のセキュリティ状態がオンされた場合の具体的な処理内容について説明する。図４は、本発明の実施の形態に係わる自動車の防犯システム１０におけるＨＥＭＳ１４で行われる防犯処理の流れの一例を示すフローチャートである。なお、図４の処理は、本実施の形態では所定時間毎に行われるものとして説明する。
【００４８】
ステップ１００では、充電ポール２８に接続されている自動車２４からセキュリティ情報が取得されてステップ１０２へ移行する。
【００４９】
ステップ１０２では、自動車２４に異常があるか否かＨＥＭＳ１４によって判定される。該判定は、本実施の形態では、図３（Ａ）に示す警戒内容に対応する自動車２４の状態が検出されたか否かを判定し、該判定が否定された場合には一連の処理を終了し、肯定された場合には、ステップ１０４へ移行する。
【００５０】
ステップ１０４では、警戒レベル１か否か判定され、該判定が肯定された場合にはステップ１０６へ移行し、否定された場合にはステップ１０８へ移行する。
【００５１】
ステップ１０６では、子機表示操作パネル５６のランプの遅点滅及び音声通知が繰り返されてステップ１０８へ移行する。本実施の形態では、図３（Ｂ）に示すように、子機表示操作パネル５６の表示画面上の「警報」が遅点滅となると共に、「ドアが開いています。」の表示を行うと共に、繰り返し音声通知（「ドアが開いています。」など）が行われる。
【００５２】
ステップ１０８では、警戒レベル２か否か判定され、該判定が肯定された場合にはステップ１１０へ移行し、否定された場合には警戒レベル３としてステップ１１２へ移行する。
【００５３】
ステップ１１０では、子機表示操作パネル５６のランプの点滅並びに子機２０及び充電ポール（対象世帯）の音声通知と弱発信音出力が行われてステップ１１４へ移行する。本実施の形態では、図３（Ｂ）に示すように、子機表示操作パネル５６の表示画面上の「警報」が点滅となると共に、「ＥＮＧが始動しました。」や「ＰＫＢが解除されました。」等の表示を行うと共に、「ＥＧＮが始動されました。」や「ＰＫＢが解除されました。」等の音声通知及び弱発信音出力が繰り返される。
【００５４】
また、ステップ１１２では、子機表示操作パネル５６のランプの早点滅並びに子機２０及び充電ポール（全世帯）の音声通知と強発信音出力が行われてステップ１１４へ移行する。本実施の形態では、図３（Ｂ）に示すように、子機表示操作パネル５６の表示画面上の「警報」が早点滅となると共に、「ガラスが割れました。」や「充電ケーブルが外されました。」等の表示を行うと共に、「ガラスが割れました。」や「充電ケーブルが外されました。」等の音声通知及び強発信音出力が繰り返される。
【００５５】
ステップ１１４では、警報停止が指示されたか否かが判定される。該判定は、子機表示操作パネル５６や、ＨＥＭＳ１４、充電ポール２８等によって警報を停止する旨の予め定めた操作が行われたか否かを判定し、該判定が肯定されるまで待機してステップ１１６へ移行する。
【００５６】
ステップ１１６では、警報（「警報」の点滅や、音声通知、発信音出力等）が停止されて一連の処理を終了する。
【００５７】
このように処理を行うことによって、自動車２４の状態に対応する警戒レベルに応じて警告を行って、的確な警告が可能となり、自動車の防犯性能を向上することができる。
【００５８】
続いて、ＨＥＭＳ１４で行われる他の処理例について説明する。図５は、本発明の実施の形態に係わる自動車の防犯システム１０におけるＨＥＭＳ１４で行われる他の処理例としての車両用蓄電池２６の充電に関する処理の流れを示すフローチャートである。
【００５９】
ステップ２００では、自動車２４の充電予約を整理して優先順位が決定されてステップ２０２へ移行する。
【００６０】
ステップ２０２では、新たに充電予約があるか否か判定される。該判定は、充電ポール２８に自動車２４が接続され、子機表示操作パネル５６によって充電予約が行われたか否かをＨＥＭＳ１４が判定し、該判定が肯定された場合にはステップ２００へ戻って充電予約の整理が行われ、否定された場合にはステップ２０４へ移行する。
【００６１】
ステップ２０４では、決定した優先順位に従って最も効率的かつ安価な電力を用いた充電が行われる。例えば、日中の太陽光発電装置１６の発電電力や、蓄電池３０に蓄電された電力等の余剰電力を極力使用して、商用電源２０からの新規の電力購入を減らすようにＨＥＭＳ１４が充電ポール２８への電力供給を制御することにより車両用蓄電池２６の充電を行う。また、このとき、子機表示操作パネル５６を通じて住人へ車両用蓄電池２６の充電の開始等を通知したり、建物全体の電力の供給状況等を通知するようにしてもよいし、管理会社３４の親機ＰＣ３６にもこれらの情報を通知するようにしてもよい。なお、住人の利用特性や季節特性等のデータを蓄積して分析することにより、上記充電時に反映して、より効率的かつ安価な電力を供給するようにしてもよい。
【００６２】
ステップ２０６では、充電終了があるか否か判定される。該判定は、ＨＥＭＳ１４が充電中の車両用蓄電池２６を監視して、充電が終了した車両用蓄電池２６があるか否かを判定し、該判定が肯定された場合にはステップ２０８へ移行し、否定された場合にはステップ２１２へ移行する。
【００６３】
ステップ２０８では、終了が対象の子機２０へ通知されてステップ２１０へ移行する。すなわち、ＨＥＭＳ１４が車両用蓄電池２６の充電が終了した旨を子機表示操作パネル５６に表示するように制御する。これによって住人が自動車２４の使用が可能となったことを確認することができる。
【００６４】
ステップ２１０では、充電に関する電力情報が親機ＰＣ３６へ通知されてステップ２１２へ移行する。例えば、使用した電力の種類や使用量等をＨＥＭＳ１４が纏めて電力情報として親機ＰＣへ送信することにより、充電に関する課金情報を親機ＰＣ３６で生成して、課金システム４０へ送信することにより、課金システム４０では、車両用蓄電池２６の充電等で使用した電力に対する課金の請求等を各住戸１１へ行うことが可能となる。このとき、各住戸の電力使用量及び共用電力の使用量を親機ＰＣ３６へ送信して、親機ＰＣ３６が使用量の割合に合わせた課金情報を生成して課金システム４０へ送信してやれば、充電以外の各住戸１１の電力使用と合わせて課金することも可能となる。
【００６５】
ステップ２１２では、全て充電が終了したか否か判定され、該判定が否定された場合にはステップ２０２へ戻って上述の処理が繰り返され、判定が肯定されたところで一連の処理を終了する。
【００６６】
なお、上記のＨＥＭＳ１４で行われる他の処理例として、車両用蓄電池２６の充電に関する制御について説明したが、車両用蓄電池２６の充電のみではなく、各住戸１１や共用部１３への電力供給全般についてＨＥＭＳ１４がトータルマネージメントするようにしてもよい。
【００６７】
例えば、ＨＥＭＳ１４は、発電電力や商用電源２０から購入した電力を、全電力供給網（商用電源（深夜電力）、太陽光発電装置１６の発電電力、蓄電池３０の蓄電電力、車両用蓄電池２６の蓄電電力等）を利用して、相互に連動させ、最も効率的かつ安価な電力を選択して、電力供給を行うようにしてもよい。また、加えて蓄電や、売電、消費への振り分け等を制御するようにしてもよい。この場合には、余剰電力を極力使用して、商用電源２０からの新規電力購入を減らすようにする。
【００６８】
また、上記の実施の形態では、集合住宅１２の共用部１３に設けたＨＥＭＳ１４に車両の防犯機能を持たせた例を説明したが、これに限るものではなく、例えば、ＨＥＭＳ１４を省略して、ＨＥＭＳ１４の機能を各住戸１１の子機２２に持たせるようにしてもよい。
【符号の説明】
【００６９】
１０    車両の防犯システム
１１    住戸
１２    集合住宅
１３    共用部
１４    ＨＥＭＳ
１６    太陽光発電装置
１８    電力計
２０    商用電源
２２    子機
２４    車両用蓄電池
２６    自動車
２８    充電ポール
３０    蓄電池
３２    ネットワーク
３６    親機ＰＣ
４０    課金システム
４２    携帯電話
５０    情報制御ユニット
５２    表示操作パネル
５４    電力供給制御装置
５６    子機表示操作パネル
【図１】
2013003779.tif 000003
【図２】
2013003779.tif 000004
【図３】
2013003779.tif 000005
【図４】
2013003779.tif 000006
【図５】
2013003779.tif 000007